(57)【要約】【課題】一定度数分の無料通信料を含む通信モードを複数有する無線通信端末であって、各通信モードの通信残量を調べ、通信残量の多い通信モードを優先的に通信する。【解決手段】携帯電話機２は、一定度数分の無料通信料を含む通信モードを複数有する。第１ＩＣカード２１２、第２ＩＣカード２１３はそれぞれ通信モード１，２の通信残量を記憶しており、利用者が発呼しようとすると、プロセッサ２０３はそれぞれの通信モードの通信残量を調べ、通信残量の多い通信モードを選択して発呼動作を行う。プロセッサ２０３は利用者の通信に基づき通信料金を算出し、最新の通信残量を計算する。【選択図】　図１
2004140684.tif 000002
【特許請求の範囲】
【請求項１】
所定の通信料が設定され複数の通信モードで通信可能な無線通信端末において、少なくとも２以上の通信モードの前記通信料に対する通信残量を取得する通信残量取得手段と、前記通信残量取得手段によってそれぞれ求められた各通信残量を比較する比較手段と、前記比較手段による比較結果によって通信残量の多い通信モードを呼接続先に決定する接続決定手段とを有することを特徴とする無線通信端末。
【請求項２】
前記接続決定手段は、呼接続先として選択した通信モードが圏外のときには通信残量が少ない通信モードで呼接続先に決定し直す請求項１記載の無線通信端末。
【請求項３】
いずれの通信モードであっても通信残量が残っていないことが判明したときに、通信料金の安い通信モードを選択して呼接続先を決定できる接続決定手段とを有する請求項１記載の無線通信端末。
【請求項４】
前記通信残量が残っている通信モードでの通信中に、通信残量がなくなった時点で、利用者にその旨を知らせる報知手段を有する請求項１または２に記載の無線通信端末。
【請求項５】
前記通信残量が挿抜可能なカードから読み出されることを特徴とする請求項１から４のいずれかに記載の無線通信端末。
【請求項６】
利用者の通信に基づく通信料金を算出する算出手段と、前記算出手段の算出結果に基づいて、前記カードに記憶された通信残量を更新する更新手段とをさらに有する請求項１から５のいずれかに記載の無線通信端末。
【発明の詳細な説明】
【０００１】
【発明の属する技術分野】
本発明は、異なる複数の通信モードが使用可能な携帯電話などの無線通信端末に関する。
【０００２】
【従来の技術】
１）携帯電話の料金体系は、一般的に月極め料金制であり、基本料金には契約内容により定められる無料通信料が含まれている。無料通信料の超過分については別途従量課金される。
【０００３】
基本料金は通信の有無に係らず月毎に必ず請求される。その際、締切日を過ぎれば無料通信分は使い切っていなかったとしてもリセットされ、翌日に繰り越されることはない料金体系が多い。
【０００４】
ところで、次世代携帯電話と呼ばれるＩＭＴ−２０００（Ｉｎｔｅｒｎａｔｉｏｎａｌ　Ｍｏｂｉｌｅ　Ｔｅｌｅｃｏｍｍｕｎｉｃａｔｉｏｎ　２０００）方式には、ＩＭＴ−２０００　ＤＳ−ＣＤＭＡ（別名Ｗ−ＣＤＭＡ）と、ＩＭＴ−２０００　ＭＣ−ＣＤＭＡ（別名ｃｄｍａ２０００）の２つがある。ｃｄｍａ２０００システムでは、従来のｃｄｍａＯｎｅシステムに割り当てられている８００ＭＨｚ帯域によるサービスと、ＩＭＴ−２０００システムでの世界共通帯域として割り当てられ高速データ通信の可能な２ＧＨｚ帯域によるサービスとを併用して行う。この場合、それぞれの帯域によって独立した料金体系を持つデュアルモード携帯電話が想定されている。
【０００５】
また、国内のみならず海外においても使用可能な携帯電話を考えた場合、国毎の通信モードに応じて、２種類以上の通信モードで通信可能なデュアルモード携帯電話が必要になる。
【０００６】
ここで、例えば２つの通信モードからなるデュアルモード携帯電話の通信残量を知るためには、利用者が所定のファンクションモードによって各電話局へアクセスし、通信料や通信残量を確認するようになっている。
【０００７】
通信残量には、音声通話による通話料の残量だけでなく、データ通信サービス用に用いられるパケット数の残量も含まれている。
【０００８】
２）複合携帯電話機において、発呼先がＰＤＣであるか、ＰＨＳまたは一般加入電話であるかの判定を行う。発呼先がＰＤＣと判定されたときには、電話番号判定部にてＰＤＣで発呼を行うための命令信号が発生され、この信号を受けたＰＤＣ／ＰＨＳモード切替スイッチはＰＤＣモードに切り替えられる。また、発呼先がＰＨＳまたは一般加入者電話であるときには、ＰＤＣ／ＰＨＳモード切替スイッチのモード切り替えに応じてＰＨＳモードに切り替えられる（例えば、特許文献１参照）。
【０００９】
【特許文献１】
特開２０００−３４９８７１号公報
【００１０】
【発明が解決しようとする課題】
１）上記した従来技術の場合、通信の度に実際に利用者がファンクションモードを操作して通信残量を確認することは煩雑である。そのため、例えば通信モード１で通信残量がなくなり、通信モード２で通信残量が残っていた場合、発呼前に利用者がその事実を知らずに通信モード１で通信して課金される一方、通信モード２の無料通信料を有効に使い切れないことがある。
【００１１】
２）上記従来技術の場合、発呼先の電話番号によって通話料金の安価な方式での発呼ができるようにしているだけで、通信モード毎に通信残量を比較して通信残量が多い通信モードを選択することは開示されていない。
この発明は、このような事情に鑑みてなされたもので、無料通信料を含む通信モードが複数設定された無線通信端末において、利用者が通信残量を無駄なく使用することができる無線通信端末を提供することを目的とする。
【００１２】
【課題を解決するための手段】
上記した目的を達成するために、請求項１記載の無線通信端末は、所定の通信料が設定され複数の通信モードで通信可能な無線通信端末において、少なくとも２以上の通信モードの前記通信料に対する通信残量を取得する通信残量取得手段と、前記通信残量取得手段によってそれぞれ求められた各通信残量を比較する比較手段と、前記比較手段による比較結果によって通信残量の多い通信モードを呼接続先に決定する接続決定手段とを有する。
【００１３】
請求項２記載の発明は、請求項１記載の無線通信端末において、前記接続決定手段は、呼接続先として選択した通信モードが圏外のときには通信残量が少ない通信モードで呼接続先に決定し直す。
【００１４】
請求項３記載の発明は、請求項１記載の無線通信端末において、いずれの通信モードであっても通信残量が残っていないことが判明したときに、通信料金の安い通信モードを選択して呼接続先を決定できる接続決定手段とを有する。
【００１５】
請求項４記載の発明は、請求項１または２に記載の無線通信端末において、前記通信残量が残っている通信モードでの通信中に、通信残量がなくなった時点で、利用者にその旨を知らせる報知手段を有することを特徴とする。
【００１６】
請求項５記載の発明は、請求項１から４のいずれかに記載の無線通信端末において、前記通信残量が挿抜可能なカードから読み出されることを特徴とする。
【００１７】
請求項６記載の発明は、請求項１から５のいずれかに記載の無線通信端末において、利用者の通信に基づく通信料金を算出する算出手段と、前記算出手段の算出結果に基づいて、前記カードに記憶された通信残量を更新する更新手段とをさらに有することを特徴とする。
【００１８】
【発明の実施の形態】
以下、図面を参照して本発明の実施の形態を説明する。
【００１９】
図１は、本発明の一実施形態に係る携帯電話機（無線通信端末）２と網側設備１の概略構成を示すブロック図である。図１において網側設備１は、通信モード１のサービスを提供する網側設備１１と、通信モード２のサービスを提供する網側設備１２を有する。通信モード１、２は、それぞれ通信プロトコルや使用周波数帯域などが異なっている。例えば、以下の実施形態では、通信モード１に８００ＭＨｚ帯域、通信モード２に２ＧＨｚ帯域という、異なる周波数帯域による通信サービスを割り当てる。
【００２０】
網側設備１１は、携帯電話機２と無線通信する基地局１１１と、携帯電話機間の呼の接続を回線交換する交換局１１２と、各基地局を制御し付加サービスを提供するサービス制御局１１３を有する。
【００２１】
網側設備１２は、それぞれ前記基地局１１１、交換局１１２、サービス制御局１１３に対応する、基地局１２１、交換局１２２、サービス制御局１２３を有する。各サービス制御局１１３、１２３は、移動局情報や、各通信モード１、２で提供するサービス内容を保持するデータベース１２４を有する。
【００２２】
携帯電話機２は、網側設備１の基地局１１１、１２１と通信するためのアンテナ２０１と、ＲＦ回路２０２と、携帯電話機の機能全体の制御をするプロセッサ２０３と、ユーザとのインタフェースとなる表示部２０４及びキー操作部２０５と、スピーカ２０６と、マイクロホン２０７と、プロセッサ２０３によって読み書きされるメモリ２０８と、同時に着脱可能なツインＩＣカードスロット２１０、２１１を有する。
【００２３】
メモリ２０８は、前回通信終了時における通信モードの種類を保持する。
【００２４】
ツインＩＣカードスロット２１０、２１１に抜き差し可能な第１ＩＣカード２１２及び第２ＩＣカード２１３は、Ｒ−ＵＩＭ（Ｒｅｍｏｖａｂｌｅ　Ｕｓｅｒ　Ｉｄｅｎｔｉｔｙ　Ｍｏｄｕｌｅ）の仕様に準拠しており、それぞれ通信モード１、２に対応している。なお、各通信モード１、２の設定はＩＣカードスロット２１０、２１１に挿入された第１ＩＣカード２１２、第２ＩＣカード２１３の保持する情報をそれぞれ読み出すことで行われる。
【００２５】
第１ＩＣカード２１２、第２ＩＣカード２１３は、それぞれ通信モード１、２における通信残量の値、または「無料通信料無し」という情報も保持する。
【００２６】
プロセッサ２０３は、スピーカ２０６とマイクロホン２０７の音声制御、表示部２０４と操作部２０５の電気的制御、通信用のＲＦ回路２０２の制御、メモリ２０８の制御の他に、各通信モードの通信残量が残っているかを判断する判断手段、呼接続の許否を決定する接続決定手段、通信モードを切り換える切換手段、任意の通信モードでの発呼動作手段、通信に基づく通信料金を算出する算出手段、第１ＩＣカード２１２、第２ＩＣカード２１３に記憶された無料通信料を更新する更新手段、通信モードの通信残量を表示部２０４に表示させる表示制御手段として機能する。
【００２７】
次に、上記構成の携帯電話機２の動作についてフロー図２を参照して説明する。図２において、先ず、携帯電話機２に電源投入される（ステップＳ１）と、ＩＣカードスロット２１０に挿入された第１ＩＣカード２１２およびＩＣカードスロット２１１に挿入された第２ＩＣカード２１３に記憶されている通信モード２の無料通信量残高を読み出す（ステップＳ２）。
【００２８】
次に、利用者が呼接続操作開始すると、全通信モードに無料通信料残高が０であるかどうかを判断する。全通信モードの無料通信料残高が０のとき（ステップＳ４）には“全通信モードに無料通信料がない”旨を表示する（ステップＳ１３）。そのときには任意の通信モードで呼接続処理を行う（ステップＳ１４）。
【００２９】
全通信モードの無料通信料残高が０でないときには（ステップＳ４）、各通信モードの無料通信料残高を算出する（ステップＳ５）。そして、各通信モードの無料通信料残高を記憶する（ステップＳ６）。
【００３０】
それぞれ算出された各通信モードの無料通信料残高を比較し（ステップＳ７）、その比較結果にもとづいて無料通信料残高が最大の通信モードを記憶し（ステップＳ８）、無料通信料残高の多い順番に表示する（ステップＳ９）。
【００３１】
そして、この無料通信料残高の多い順番に表示された無料通信料残高の中で最大通信料の通信モードを選択し、この通信モードに呼接続処理を行う（ステップＳ１０）。この呼接続処理を行うことによって呼接続処理を終了させる（ステップＳ１１）。通話が終了すると、挿抜可能なカードに各通信モードの無料通信料残高を書き込む（ステップＳ１２）。
【００３２】
通常は前述のとおり、無料通信料残高の多い通信モードを選択して呼接続処理を行うが、無料通信料残高の多い通信モードであってもその通信モードが圏外のときにはに無料通信料残高の少ない通信モードを選択して呼接続処理を行う。
いずれの通信モードであっても無料通信料残高が残っていないときには通話料金の安い通信モードを選択して呼接続処理を行う。
【００３３】
また、無料通信料残高が残っている通信モードでの通信中に通信残量がなくなったことが判明したときには利用者に注意を喚起させるためにブザー等でその旨を知らせる。通信それぞれ無料通信料が設定されている場合に、各通信モードの通信残量を一々利用者が調べ、どの通信モードで通信するかを決定しなくても、通信残量を無駄なく使用することができる。
【００３４】
以上、本発明の実施形態について図面を参照して説明してきたが、具体的な構成はこの実施形態に限られるものではなく、本発明の要旨を逸脱しない範囲の設計変更等も含まれる。
【００３５】
例えば、上記実施形態では、携帯電話機２に２つのＩＣカードが装着可能で、２つが独立した料金体系を持つ通信モードに対応する構成としたが、本発明はこれに限定されるものではなく、携帯電話機２に３つ以上のＩＣカードが装着可能であり、ＩＣカードと同数の通信モードに対応する構成としてもよい。
【００３６】
また、上記実施形態における携帯電話機の代わりに、無線通信機能を備えた携帯型パーソナル・コンピュータ又はＰＤＡ（Ｐｅｒｓｏｎａｌ　Ｄｉｇｉｔａｌ　Ａｓｓｉｓｔａｎｃｅ）に本発明を適用してもよい。また、通信モードを通話用だけではなくデータ通信専用で設定して使用することも可能である。
【００３７】
【発明の効果】
以上の説明で明らかなように、本発明によれば、各通信モードの無料通信料残高を比較し、残っている無料通信料残高の多い通信モードを選択して呼接続をするためにほぼ均等に無料通話料を使用することができる。よって、各通信モードを均等に使用することができるために無料通信料を使い切っていなかったということがおこる可能性は小さい。
【００３８】
また、請求項２記載の本発明によれば、各通信モードの無料通信料残高を比較し、残っている無料通信料残高の多い通信モードが圏外のときには無料通信料残高が少ない通信モードを選択するようにしているので、利用者は事情を充分に理解したうえで呼接続を行うことができる。
【００３９】
また、請求項３記載の本発明によれば、いずれの通信モードの無料通信料残高が残っていない場合であっても通話料金の安い通信モードを選択するようにしているので、利用者への金銭的な負担を軽減できる。
【００４０】
また、請求項４記載の本発明によれば、各通信モードで無料通信中に通信残量がなくなった場合、その時点で利用者にその旨を知らせるようにするので、利用者は通信中でも通信残量がなくなったことを知ることができる。
【００４１】
また、請求項５記載の本発明によれば、挿抜可能なカードが用いられるので、カードによって異なった通信体系や料金体系などを利用でき、あらゆる通信モードに対応した通信ができる。
【００４２】
また、請求項６記載の本発明によれば、利用者の通信に基づき通信残量を更新するので、次に発呼動作を行う場合、更新した通信残量を用いて通信残量の残っている通信モードを正確に判別することができる。
【図面の簡単な説明】
【図１】本発明の一実施形態に係る携帯電話機と網側設備の概略構成を示すブロック図である。
【図２】同上の実施形態における携帯電話機の動作を示すフローチャートである。
【符号の説明】
１…網側設備、２…携帯電話機、１１…通信モード１の網側設備、１２…通信モード２の網側設備、２０３…プロセッサ、２０４…表示部、２０５…キー操作部、２０８…メモリ、２１０…ＩＣカードスロット、２１１…ＩＣカードスロット、２１２…第１ＩＣカード、２１３…第２ＩＣカード
【図１】
2004140684.tif 000003
【図２】
2004140684.tif 000004